(57)【要約】【課題】適切な受信タイミングで信号を復調することが可能な無線通信装置、無線通信システム、無線通信方法、及びプログラムを提供すること。【解決手段】無線通信装置１１は、複数の周波数帯域の遅延プロファイルを測定する測定部１１１と、複数の周波数帯域のうち第１周波数帯域ｆ１において最大振幅の時刻を示す第１時刻ｔｍ１と、複数の周波数帯域のうち第２周波数帯域ｆ２において最大振幅の時刻を示す第２時刻ｔｍ２と、の時間差に基づいて、第１周波数帯域ｆ１のパスタイミングを決定する決定部１１２と、を備える。【選択図】図１
2020202515.tif 000002
【特許請求の範囲】
【請求項１】
複数の周波数帯域の遅延プロファイルを測定する測定部と、
前記複数の周波数帯域のうち第１周波数帯域において最大振幅の時刻を示す第１時刻と、前記複数の周波数帯域のうち第２周波数帯域において最大振幅の時刻を示す第２時刻と、の時間差に基づいて、前記第１周波数帯域のパスタイミングを決定する決定部と、
を備える無線通信装置。
【請求項２】
前記決定部は、
前記第１時刻が前記第２時刻よりも後であり前記時間差がパス更新閾値よりも大きい場合、前記第２時刻を前記第１周波数帯域のパスタイミングに決定し、
前記第１時刻が前記第２時刻よりも後であり前記時間差が前記パス更新閾値以下の場合、前記第１時刻を前記第１周波数帯域のパスタイミングに決定する、
請求項１に記載の無線通信装置。
【請求項３】
前記決定部は、前記第１時刻での前記最大振幅が所定振幅以下の場合、前記第２時刻を前記第１周波数帯域のパスタイミングに決定する、
請求項１又は２に記載の無線通信装置。
【請求項４】
前記第１周波数帯域のパスタイミングと前記第２周波数帯域のパスタイミングの類似性を判定する判定部をさらに備え、
前記決定部は、前記時間差と前記類似性とに基づいて、前記第１周波数帯域のパスタイミングを決定する、
請求項１乃至３のいずれか１つに記載の無線通信装置。
【請求項５】
前記決定部は、前記第１時刻が前記第２時刻よりも後であり前記時間差がパス更新閾値よりも大きく、且つ、前記類似性が有ると判定された場合、前記第２時刻を前記第１周波数帯域のパスタイミングに決定する、
請求項４に記載の無線通信装置。
【請求項６】
前記判定部は、前記第１周波数帯域の相関値と前記第２周波数帯域の相関値との差である相関判定値に基づいて前記類似性を判定する、
請求項４又は５に記載の無線通信装置。
【請求項７】
前記判定部は、
前記相関判定値が相関判定閾値以下の場合、前記類似性が有ると判定し、
前記相関判定値が前記相関判定閾値よりも大きい場合、前記類似性が無いと判定する、
請求項６に記載の無線通信装置。
【請求項８】
無線通信装置と、前記無線通信装置と通信する別の無線通信装置と、を備え、
前記別の無線通信装置は、
複数の周波数帯域の信号を送信する送信部を有し、
前記無線通信装置は、
前記複数の周波数帯域の遅延プロファイルを測定する測定部と、
前記複数の周波数帯域のうち第１周波数帯域において最大振幅の時刻を示す第１時刻と、前記複数の周波数帯域のうち第２周波数帯域において最大振幅の時刻を示す第２時刻と、の時間差に基づいて、前記第１周波数帯域のパスタイミングを決定する決定部と、を有する、
無線通信システム。
【請求項９】
複数の周波数帯域の遅延プロファイルを測定することと、
前記複数の周波数帯域のうち第１周波数帯域において最大振幅の時刻を示す第１時刻と、前記複数の周波数帯域のうち第２周波数帯域において最大振幅の時刻を示す第２時刻と、の時間差に基づいて、前記第１周波数帯域のパスタイミングを決定することと、
を備える無線通信方法。
【請求項１０】
複数の周波数帯域の遅延プロファイルを測定することと、
前記複数の周波数帯域のうち第１周波数帯域において最大振幅の時刻を示す第１時刻と、前記複数の周波数帯域のうち第２周波数帯域において最大振幅の時刻を示す第２時刻と、の時間差に基づいて、前記第１周波数帯域のパスタイミングを決定することと、
をコンピュータに実行させるプログラム。
【発明の詳細な説明】
【技術分野】
【０００１】
本開示は、無線通信装置、無線通信システム、無線通信方法、及びプログラムに関するものであり、特に、適切な受信タイミングで信号を復調することが可能な無線通信装置、無線通信システム、無線通信方法、及びプログラムに関する。
【背景技術】
【０００２】
複数の基地局と複数の移動端末が通信を行う無線通信システムが有る。このような無線通信システムでは、非特許文献１に記載されているように、基地局と移動端末との間の通信は、無線フレーム単位やサブフレーム単位で行われる。基地局又は移動端末においてデータを受信する受信機は、データ送信のタイミング誤差、及び、マルチパス伝搬遅延などの影響により、複数の受信タイミングでデータを受信する。受信機が遅延の大きなパスのタイミングに基づいて受信する場合、隣接するサブフレーム間のデータが重複する。その結果、符号間干渉（ISI：Inter Symbol Interference）が発生し、データの通信品質が劣化する。
【０００３】
特許文献１には、ＲＦ受信信号処理部と、ＡＧＣ増幅部の制御を行うＡＧＣ制御部と、サーチフィンガ処理部と、トラッキングフィンガ処理部と、パスサーチ＆パス選択部と、閾値＆補正レベル生成器と、を備えるデジタル信号処理部が開示されている。また、特許文献１には、パスサーチ＆パス選択部が、サーチフィンガ処理部と協働して各ブランチについてダイナミックにパスサーチを行うとともに、閾値＆補正レベル生成器からの補正信号を用いて受信信号レベルの補正を行い、この補正結果に基づいてＲａｋｅ合成のためのパス選択を行うことが開示されている。特許文献１には、符号間干渉を低減するために最適な受信タイミングを検出し補正することは開示されていない。
【先行技術文献】
【特許文献】
【０００４】
【特許文献１】特開２００５−２６８８４９号公報
【非特許文献１】３ＧＰＰ  ＴＲ  ３８．２１１  ｖ．１５．０．０
【発明の概要】
【発明が解決しようとする課題】
【０００５】
上述のように、受信機がデータを受信する場合、符号間干渉が発生し通信品質が劣化するという課題があった。
【０００６】
本開示の目的は、上述した課題を解決する無線通信装置、無線通信システム、無線通信方法、及びプログラムを提供することにある。
【課題を解決するための手段】
【０００７】
本開示に係る無線通信装置は、
複数の周波数帯域の遅延プロファイルを測定する測定部と、
前記複数の周波数帯域のうち第１周波数帯域において最大振幅の時刻を示す第１時刻と、前記複数の周波数帯域のうち第２周波数帯域において最大振幅の時刻を示す第２時刻と、の時間差に基づいて、前記第１周波数帯域のパスタイミングを決定する決定部と、
を備える。
【０００８】
本開示に係る無線通信システムは、
無線通信装置と、前記無線通信装置と通信する別の無線通信装置と、を備え、
前記別の無線通信装置は、
複数の周波数帯域の信号を送信する送信部を有し、
前記無線通信装置は、
前記複数の周波数帯域の遅延プロファイルを測定する測定部と、
前記複数の周波数帯域のうち第１周波数帯域において最大振幅の時刻を示す第１時刻と、前記複数の周波数帯域のうち第２周波数帯域において最大振幅の時刻を示す第２時刻と、の時間差に基づいて、前記第１周波数帯域のパスタイミングを決定する決定部と、を有する。
【０００９】
本開示に係る無線通信方法は、
複数の周波数帯域の遅延プロファイルを測定することと、
前記複数の周波数帯域のうち第１周波数帯域において最大振幅の時刻を示す第１時刻と、前記複数の周波数帯域のうち第２周波数帯域において最大振幅の時刻を示す第２時刻と、の時間差に基づいて、前記第１周波数帯域のパスタイミングを決定することと、
を備える。
【００１０】
本開示に係るプログラムは、
複数の周波数帯域の遅延プロファイルを測定することと、
前記複数の周波数帯域のうち第１周波数帯域において最大振幅の時刻を示す第１時刻と、前記複数の周波数帯域のうち第２周波数帯域において最大振幅の時刻を示す第２時刻と、の時間差に基づいて、前記第１周波数帯域のパスタイミングを決定することと、
をコンピュータに実行させる。
【発明の効果】
【００１１】
本開示によれば、適切な受信タイミングで信号を復調することが可能な無線通信装置、無線通信システム、無線通信方法、及びプログラムを提供することができる。
【図面の簡単な説明】
【００１２】
【図１】実施の形態に係る無線通信装置を例示するブロック図である。
【図２】実施の形態に係る無線通信システムを例示するブロック図である。
【図３】遅延プロファイルを例示するグラフである。
【図４】サブフレームの受信タイミングを例示する図である。
【図５】サブフレーム内のシンボルの切り出し位置を例示する図である。
【図６】サブフレーム内のシンボルの切り出し位置を例示する図である。
【図７】実施の形態に係る無線通信システムを例示するブロック図である。
【図８】実施の形態に係る無線通信装置の動作を例示するフローチャートである。
【図９】実施の形態の比較例に係る無線通信システムを例示するブロック図である。
【発明を実施するための形態】
【００１３】
以下、図面を参照して本発明の実施の形態について説明する。各図面において、同一又は対応する要素には同一の符号が付されており、説明の明確化のため、必要に応じて重複説明を省略する。
【００１４】
［実施の形態］
実施の形態に係る無線通信装置及び無線通信システムの構成の概要を説明する。
図１は、実施の形態に係る無線通信装置を例示するブロック図である。
図２は、実施の形態に係る無線通信システムを例示するブロック図である。
図３は、遅延プロファイルを例示するグラフである。
図３の横軸は時間を示し、縦軸は相関値を示す。
【００１５】
図１に示すように、実施の形態に係る無線通信装置１１は、測定部１１１と決定部１１２とを備える。
【００１６】
図２に示すように、実施の形態に係る無線通信システム１０は、無線通信装置１１と、無線通信装置１１と通信する別の無線通信装置１２と、を備える。例えば、下り通信においては、別の無線通信装置１２は基地局であり、無線通信装置１１は移動端末である。上り通信においては、別の無線通信装置１２は移動端末であり、無線通信装置１１は基地局である。
【００１７】
別の無線通信装置１２は、複数の周波数帯域の信号を送信する送信部１２１を備える。
【００１８】
無線通信装置１１の測定部１１１は、複数の周波数帯域の遅延プロファイルを測定する。図３は、簡単のため、１つの周波数帯域の遅延プロファイルを示したグラフである。測定部１１１は、図３に示すような、最大相関値ｃｍａｘと、対応する瞬時パスタイミングｔｉｎｓｔを検出する。最大相関値を、最大相関値振幅、又は、最大振幅と称する。
【００１９】
決定部１１２は、複数の周波数帯域のうち第１周波数帯域ｆ１において最大振幅の時刻を示す第１時刻ｔｍ１と、複数の周波数帯域のうち第２周波数帯域ｆ２において最大振幅の時刻を示す第２時刻ｔｍ２と、の時間差を求める。決定部１１２は、時間差に基づいて、第１周波数帯域ｆ１のパスタイミングを決定する。
【００２０】
無線通信装置１１は、決定したパスタイミングに基づいて、第１周波数数帯域ｆ１の信号を復調する。
【００２１】
尚、第１周波数帯域ｆ１は、第２周波数帯域ｆ２よりも高い周波数帯域であってもよい。また、第１周波数帯域ｆ１は、第２周波数帯域ｆ２以下の周波数帯域であってもよい。
【００２２】
また、第１周波数帯域ｆ１は、周波数ホッピング方式におけるホッピング前の周波数であり、第２周波数帯域ｆ２は、周波数ホッピング方式におけるホッピング後の周波数であってもよい。
【００２３】
また、第１周波数帯域ｆ１は、ＢＷＰ（Bandwidth Part）スイッチングにおけるＢＷＰスイッチング前の周波数であり、第２周波数帯域ｆ２は、ＢＷＰスイッチングにおけるＢＷＰスイッチング後の周波数であってもよい。
【００２４】
また、パスタイミングに基づいて、サイクリックプレフィックス（ＣＰ：Cyclic Prefix）（ガードインターバル）を設定してもよい。
【００２５】
また、信号をデータと称することもある。また、パスタイミングを受信タイミングや復調タイミングと称することもある。
【００２６】
ここで、一般の無線通信装置が信号を受信する受信タイミンングについて説明する。
図４は、サブフレームの受信タイミングを例示する図である。
図５は、サブフレーム内のシンボルの切り出し位置を例示する図である。
図５に示す横軸は、時間を示す。
図６は、サブフレーム内のシンボルの切り出し位置を例示する図である。
図６に示す横軸は、時間を示す。
【００２７】
図４に示すように、無線通信装置は、受信タイミングｔ０又は受信タイミングｔ１（受信タイミングｔ２又は受信タイミングｔ３でもよい）を先頭にして、１サブフレーム分のデータを抽出して受信処理を行う。このため、無線通信装置では、隣接するサブフレーム間のデータが重複する（図４（ａ）参照）。そして、データが重複することに起因するサブフレーム間の干渉、すなわち、符号間干渉が発生し、通信品質が劣化する。そこで、サブフレーム内のＯＦＤＭ（Orthogonal Frequency Division Multiplexing）シンボルの先頭にサイクリックプレフィックスを付加する（図４（ｂ）参照）ことにより、符号間干渉を回避している。
【００２８】
しかしながら、無線伝搬路の状態に起因して、図５に示すように、第１周波数帯域ｆ１のパスタイミングｔｆ１が遅い場合、ОＦＤＭシンボルの切り出し時刻が遅れる。このため、隣接ＯＦＤＭシンボルとの間に符号間干渉が生じる。よって、隣接ＯＦＤＭシンボルとの符号間干渉を低減するため、第１周波数帯域ｆ１のパスタイミングｔｆ１を補正（更新）し最適にする必要ある。
【００２９】
そこで、実施の形態に係る無線通信装置１１は、図６に示すように、第１周波数帯域ｆ１のパスタイミングｔｆ１が符号間干渉を生じるくらいに遅い場合、第２周波数帯域ｆ２のパスタイミングｔｆ２を、第１周波数帯域ｆ１のパスタイミングに決定し信号を復調する。
【００３０】
具体的には、無線通信装置１１は、第１周波数帯域ｆ１のパスタイミングｔｆ１が第２周波数帯域ｆ２のパスタイミングｔｆ２よりも後であり、パスタイミングｔｆ１とパスタイミングｔｆ２との時間差がパス更新閾値ｔｈｒｕｄｔよりも大きい場合、パスタイミングｔｆ２を、第１周波数帯域ｆ１のパスタイミングに決定する。すなわち、無線通信装置１１は、第１周波数帯域ｆ１のパスタイミングｔｆ１に代えて、第２周波数帯域ｆ２のパスタイミングｔｆ２を使用して信号を復調する。
【００３１】
また、無線通信装置１１は、第１周波数帯域ｆ１のパスタイミングｔｆ１が第２周波数帯域ｆ２のパスタイミングｔｆ２よりも後であり、パスタイミングｔｆ１とパスタイミングｔｆ２との時間差がパス更新閾値ｔｈｒｕｄｔ以下の場合、パスタイミングｔｆ１を第１周波数帯域ｆ１のパスタイミングに決定する。
【００３２】
これにより、符号間干渉が低減するので、通信品質が劣化を抑制することができる。その結果、適切な受信タイミングで信号を復調することが可能な無線通信装置、無線通信システム、無線通信方法、及びプログラムを提供することができる。
【００３３】
尚、第１周波数帯域ｆ１のパスタイミングｔｆ１を第１時刻ｔｍ１と称し、第２周波数帯域ｆ２のパスタイミングｔｆ２を第２時刻ｔｍ２と称することもある。
【００３４】
実施の形態に係る無線通信装置の構成の詳細を説明する。
説明に際しては、例えば、別の無線通信装置１２としてソースＢＳを用い、無線通信装置１１としてターゲットＵＥ（Target User Equipment）を用い、又は、別の無線通信装置１２としてソースＵＥを用い、無線通信装置１１としてターゲットＢＳを用いる。そして、これらをまとめて、別の無線通信装置１２をソースＢＳ／ＵＥ（Source BS/UE）と称し、無線通信装置１１をターゲットＵＥ／ＢＳ（Target UE/BS）と称する。ターゲットＵＥ／ＢＳが、パスタイミングを検出するＵＥ／基地局に相当するものとして説明する。尚、ＢＳを基地局と称することもある。
【００３５】
実施の形態において、無線通信システム１０は、１つのソースＢＳ／ＵＥと１つのターゲットＵＥ／ＢＳを備えるが、これには限定されない。無線通信システム１０は、１つ、又は複数のソースＢＳ／ＵＥ、及び、１つ、又は複数のターゲットＵＥ／ＢＳを備えてもよい。
【００３６】
図７は、実施の形態に係る無線通信システムを例示するブロック図である。
【００３７】
図７に示すように、ソースＢＳ／ＵＥ（別の無線通信装置１２）は、パスタイミングを検出するために用いる基準信号（ＲＳ：Reference Signal）を、ターゲットＵＥ／ＢＳ（無線通信装置１１）に対して送信する。
【００３８】
ターゲットＵＥ／ＢＳ（無線通信装置１１）は、判定部１１３をさらに備える。ターゲットＵＥ／ＢＳの測定部１１１は、周波数分離部１１１１と第１周波数帯域Ａ／Ｄ（Analog/Digital）変換部１１１２ａとを備える。測定部１１１は、さらに、第１周波数帯域相関部１１１３ａと第１周波数帯域基準信号生成部１１１４ａと第１周波数帯域ピーク検出部１１１５ａと第１周波数帯域受信タイミング検出部１１１６ａとを備える。測定部１１１は、さらに、第２周波数帯域Ａ／Ｄ変換部１１１２ｂと第２周波数帯域相関部１１１３ｂと第２周波数帯域基準信号生成部１１１４ｂと第２周波数帯域ピーク検出部１１１５ｂと第２周波数帯域受信タイミング検出部１１１６ｂとを備える。
【００３９】
決定部１１２は、受信タイミング補正部１１２１とパス更新閾値部１１２２とを備える。
【００４０】
判定部１１３は、相関判定部１１３１と相関判定閾値部１１３２とを備える。判定部１１３は、第１周波数帯域ｆ１のパスタイミングｔｆ１と第２周波数帯域ｆ２のパスタイミングｔｆ２の類似性を判定する。
【００４１】
周波数分離部１１１１は、ソースＢＳ／ＵＥから送信された基準信号を受信する。基準信号は、無線伝搬路や雑音の影響を受ける。このため、周波数分離部１１１１は、基準信号を受信基準信号として受信する。
【００４２】
周波数分離部１１１１は、ソースＢＳ／ＵＥから受信した基準信号（受信基準信号と称する）を、第１周波数帯域ｆ１の受信基準信号、及び、第２周波数帯域ｆ２の受信基準信号に分離する。第１周波数帯域ｆ１の受信基準信号は、第１周波数帯域Ａ／Ｄ変換部１１１２ａに出力され、第２周波数帯域ｆ２の受信基準信号は、第２周波数帯域Ａ／Ｄ変換部１１１２ｂに出力される。
【００４３】
ここで、第１周波数帯域ｆ１の受信基準信号の流れを説明する。
【００４４】
周波数分離部１１１１から第１周波数帯域Ａ／Ｄ変換部１１１２ａに、第１周波数帯域ｆ１の受信基準信号が入力される。
【００４５】
第１周波数帯域Ａ／Ｄ変換部１１１２ａは、入力された第１周波数帯域ｆ１の受信基準信号をＡ／Ｄ変換して第１周波数帯域ｆ１のデジタル受信基準信号を生成する。第１周波数帯域Ａ／Ｄ変換部１１１２ａは、生成した第１周波数帯域ｆ１のデジタル受信基準信号を、第１周波数帯域相関部１１１３ａに出力する。
【００４６】
第１周波数帯域基準信号生成部１１１４ａは、事前に通知された第１周波数帯域ｆ１の基準信号に関する情報に基づいて、第１周波数帯域ｆ１の基準信号を生成する。ソースＢＳ／ＵＥからターゲットＵＥ／ＢＳに対して、事前に基準信号に関する情報が通知されるので、ターゲットＵＥ／ＢＳは、基準信号の信号パターンを事前に把握することができる。第１周波数帯域基準信号生成部１１１４ａは、生成した第１周波数帯域ｆ１の基準信号を第１周波数帯域相関部１１１３ａに出力する。
【００４７】
第１周波数帯域相関部１１１３ａには、第１周波数帯域Ａ／Ｄ変換部１１１２ａから第１周波数帯域ｆ１のデジタル受信基準信号が入力される。また、第１周波数帯域相関部１１１３ａには、第１周波数帯域基準信号生成部１１１４ａから第１周波数帯域ｆ１の基準信号が入力される。第１周波数帯域相関部１１１３ａは、第１周波数帯域ｆ１のデジタル受信基準信号と第１周波数帯域ｆ１の基準信号を用いて、第１周波数帯域ｆ１の相関値ｃｆ１（＊複素数）を算出する。第１周波数帯域相関部１１１３ａは、算出した第１周波数帯域ｆ１の相関値ｃｆ１を、第１周波数帯域ピーク検出部１１１５ａと相関判定部１１３１に出力する。
【００４８】
第１周波数帯域ピーク検出部１１１５ａには、第１周波数帯域相関部１１１３ａから第１周波数帯域ｆ１の相関値ｃｆ１が入力される。第１周波数帯域ピーク検出部１１１５ａは、入力された第１周波数帯域ｆ１の相関値ｃｆ１の振幅値から、第１周波数帯域ｆ１の瞬時最大相関値ｃｉｎｓｔ＿ｆ１と対応する瞬時パスタイミングｔｉｎｓｔ＿ｆ１を検出する。第１周波数帯域ピーク検出部１１１５ａは、検出した第１周波数帯域ｆ１の瞬時最大相関値ｃｉｎｓｔ＿ｆ１と瞬時パスタイミングｔｉｎｓｔ＿ｆ１を、第１周波数帯域受信タイミング検出部１１１６ａに出力する。
【００４９】
第１周波数帯域受信タイミング検出部１１１６ａには、第１周波数帯域ピーク検出部１１１５ａから、第１周波数帯域ｆ１の瞬時最大相関値ｃｉｎｓｔ＿ｆ１と瞬時パスタイミングｔｉｎｓｔ＿ｆ１が入力される。第１周波数帯域受信タイミング検出部１１１６ａは、入力された第１周波数帯域ｆ１の瞬時最大相関値ｃｉｎｓｔ＿ｆ１と瞬時パスタイミングｔｉｎｓｔ＿ｆ１をメモリ（図示せず）に保存する。
【００５０】
第１周波数帯域受信タイミング検出部１１１６ａは、メモリに保存されている過去と最新の第１周波数帯域ｆ１の瞬時最大相関値ｃｉｎｓｔ＿ｆ１と瞬時パスタイミングｔｉｎｓｔ＿ｆ１を重み付けして第１周波数帯域ｆ１のパスタイミングｔｆ１を生成する。第１周波数帯域受信タイミング検出部１１１６ａは、生成した第１周波数帯域ｆ１のパスタイミングｔｆ１を、受信タイミング補正部１１２１に出力する。
【００５１】
ここで、第２周波数帯域ｆ２の受信基準信号の流れを説明する。
【００５２】
周波数分離部１１１１から第２周波数帯域Ａ／Ｄ変換部１１１２ｂに、第２周波数帯域ｆ２の受信基準信号が入力される。
【００５３】
第２周波数帯域Ａ／Ｄ変換部１１１２ｂは、入力された第２周波数帯域ｆ２の受信基準信号をＡ／Ｄ変換して第２周波数帯域ｆ２のデジタル受信基準信号を生成する。第２周波数帯域Ａ／Ｄ変換部１１１２ｂは、生成した第２周波数帯域ｆ２のデジタル受信基準信号を、第２周波数帯域相関部１１１３ｂに出力する。
【００５４】
第２周波数帯域基準信号生成部１１１４ｂは、事前に通知された第２周波数帯域ｆ２の基準信号に関する情報に基づいて、第２周波数帯域ｆ２の基準信号を生成する。第２周波数帯域基準信号生成部１１１４ｂは、生成した第２周波数帯域ｆ２の基準信号を第２周波数帯域相関部１１１３ｂに出力する。
【００５５】
第２周波数帯域相関部１１１３ｂには、第２周波数帯域Ａ／Ｄ変換部１１１２ｂから第２周波数帯域ｆ２のデジタル受信基準信号が入力される。また、第２周波数帯域相関部１１１３ｂには、第２周波数帯域基準信号生成部１１１４ｂから第２周波数帯域ｆ２の基準信号が入力される。第２周波数帯域相関部１１１３ｂは、第２周波数帯域ｆ２のデジタル受信基準信号と第２周波数帯域ｆ２の基準信号を用いて、第２周波数帯域ｆ２の相関値ｃｆ２（＊複素数）を算出する。第２周波数帯域相関部１１１３ｂは、算出した第２周波数帯域ｆ２の相関値ｃｆ２を、第２周波数帯域ピーク検出部１１１５ｂと相関判定部１１３１に出力する。
【００５６】
第２周波数帯域ピーク検出部１１１５ｂには、第２周波数帯域相関部１１１３ｂから第２周波数帯域ｆ２の相関値ｃｆ２が入力される。第２周波数帯域ピーク検出部１１１５ｂは、入力された第２周波数帯域ｆ２の相関値ｃｆ２の振幅値から、第２周波数帯域ｆ２の瞬時最大相関値ｃｉｎｓｔ＿ｆ２と対応する瞬時パスタイミングｔｉｎｓｔ＿ｆ２を検出する。第２周波数帯域ピーク検出部１１１５ｂは、検出した第２周波数帯域ｆ２の瞬時最大相関値ｃｉｎｓｔ＿ｆ２と瞬時パスタイミングｔｉｎｓｔ＿ｆ２を、第２周波数帯域受信タイミング検出部１１１６ｂに出力する。
【００５７】
第２周波数帯域受信タイミング検出部１１１６ｂには、第２周波数帯域ピーク検出部１１１５ｂから、第２周波数帯域ｆ２の瞬時最大相関値ｃｉｎｓｔ＿ｆ２と瞬時パスタイミングｔｉｎｓｔ＿ｆ２が入力される。第２周波数帯域受信タイミング検出部１１１６ｂは、入力された第２周波数帯域ｆ２の瞬時最大相関値ｃｉｎｓｔ＿ｆ２と瞬時パスタイミングｔｉｎｓｔ＿ｆ２をメモリ（図示せず）に保存する。
【００５８】
第２周波数帯域受信タイミング検出部１１１６ｂは、メモリに保存されている過去と最新の第２周波数帯域ｆ２の瞬時最大相関値ｃｉｎｓｔ＿ｆ２と瞬時パスタイミングｔｉｎｓｔ＿ｆ２を重み付けして第２周波数帯域ｆ２のパスタイミングｔｆ２を生成する。第２周波数帯域受信タイミング検出部１１１６ｂは、生成した第２周波数帯域ｆ２のパスタイミングｔｆ２を、受信タイミング補正部１１２１に出力する。
【００５９】
ここで、第１周波数帯域ｆ１と第２周波数帯域ｆ２のパスタイミングの類似性の判断について説明する。
【００６０】
相関判定閾値部１１３２は、第１周波数帯域ｆ１と第２周波数帯域ｆ２のパスタイミングの類似性を判定するために用いる相関判定閾値ｔｈｒｆ１＿ｆ２を設定する。相関判定閾値部１１３２は、設定した相関判定閾値ｔｈｒｆ１＿ｆ２を、相関判定部１１３１に出力する。
【００６１】
相関判定部１１３１には、第１周波数帯域相関部１１１３ａから第１周波数帯域ｆ１の相関値ｃｆ１が入力される。また、相関判定部１１３１には、第２周波数帯域相関部１１１３ｂから第２周波数帯域ｆ２の相関値ｃｆ２が入力される。また、相関判定部１１３１には、相関判定閾値部１１３２から相関判定閾値ｔｈｒｆ１＿ｆ２が入力される。
【００６２】
相関判定部１１３１は、第１周波数帯域ｆ１と第２周波数帯域ｆ２間の相関判定値ｃｆ１＿ｆ２を、次式に基づいて算出する。
2020202515.tif 000003
2020202515.tif 000004
2020202515.tif 000005
【００６３】
ここで、サンプル数Ｎｃｏｒｒは、相関値ｃｆ１のサンプル数、または、相関値ｃｆ２のサンプル数を示す。瞬時最大相関値ｃｉｎｓｔ＿ｆ１は、第１周波数帯域ｆ１の相関値ｃｆ１の最大振幅値を示す。瞬時最大相関値ｃｉｎｓｔ＿ｆ２は、第２周波数帯域ｆ２の相関値ｃｆ２の最大振幅値を示す。ｉは、相関値ｃｆ１のサンプル番号と、相関値ｃｆ２のサンプル番号を示す。
【００６４】
相関判定部１１３１は、第１周波数帯域ｆ１の相関値ｃｆ１と第２周波数帯域ｆ２の相関値ｃｆ２との差である相関判定値ｃｆ１＿ｆ２に基づいて類似性を判定する。
【００６５】
具体的には、相関判定部１１３１は、相関判定値ｃｆ１＿ｆ２と相関判定閾値ｔｈｒｆ１＿ｆ２を比較する。相関判定部１１３１は、比較の結果、第１周波数帯域ｆ１の相関値ｃｆ１と第２周波数帯域ｆ２の相関値ｃｆ２との類似性、すなわち、第１周波数帯域ｆ１のパスタイミングと第２周波数帯域ｆ２のパスタイミングの類似性を判定する。
【００６６】
具体的には、相関判定部１１３１は、算出した相関判定値ｃｆ１＿ｆ２が相関判定閾値ｔｈｒｆ１＿ｆ２以下の場合、第１周波数帯域ｆ１のパスタイミングと、第２周波数帯域ｆ２のパスタイミングと、は類似している（類似性が有る）と判定する。
【００６７】
一方、相関判定部１１３１は、算出した相関判定値ｃｆ１＿ｆ２が、相関判定閾値ｔｈｒｆ１＿ｆ２よりも大きい場合、第１周波数帯域ｆ１のパスタイミングと、第２周波数帯域ｆ２のパスタイミングと、は類似していない（類似性が無い）と判定する。相関判定部１１３１は、判定した結果を、受信タイミング補正部１１２１に通知する。
【００６８】
パス更新閾値部１１２２は、第１周波数帯域ｆ１のパスタイミングｔｆ１を更新するためのパス更新閾値ｔｈｒｕｄｔを設定する。パス更新閾値部１１２２は、設定したパス更新閾値ｔｈｒｕｄｔを、受信タイミング補正部１１２１に出力する。
【００６９】
受信タイミング補正部１１２１には、第１周波数帯域受信タイミング検出部１１１６ａから第１周波数帯域ｆ１のパスタイミングｔｆ１が入力される。受信タイミング補正部１１２１には、第２周波数帯域受信タイミング検出部１１１６ｂから第２周波数帯域ｆ２のパスタイミングｔｆ２が入力される。受信タイミング補正部１１２１には、パス更新閾値部１１２２からパス更新閾値ｔｈｒｕｄｔが入力される。受信タイミング補正部１１２１には、相関判定部１１３１から第１周波数帯域ｆ１のパスタイミングと第２周波数帯域ｆ２のパスタイミングの類似性に関する判定結果が通知される。
【００７０】
ここで、図５に示すように、ターゲットＵＥ／ＢＳ（無線通信装置１１）が第１周波数帯域ｆ１のパスタイミングｔｆ１が直接波（ＬｏＳ：Line of Sight）のパスではなく、反射波や遅延波（ＮＬｏＳ：Non-Line of Sight）のパスを検出している場合を考える。この場合、隣接するＯＦＤＭシンボルを復調することに起因する符号間干渉が発生する。
【００７１】
このため、ターゲットＵＥ／ＢＳは、第１周波数帯域ｆ１のパスタイミングｔｆ１と第２周波数帯域ｆ２のパスタイミングｔｆ２との時間差と、類似性の結果と、に基づいて、第１周波数帯域ｆ１のパスタイミングを決定する。
【００７２】
具体的には、ターゲットＵＥ／ＢＳは、第１周波数帯域ｆ１のパスタイミングｔｆ１が第２周波数帯域ｆ２のパスタイミングｔｆ２よりも後であり、当該時間差がパス更新閾値ｔｈｒｕｄｔよりも大きく、且つ、類似性が有ると判定された場合、第２周波数帯域ｆ２のパスタイミングｔｆ２を、第１周波数帯域ｆ１のパスタイミングに決定する。
【００７３】
より具体的には、ターゲットＵＥ／ＢＳは、第１周波数帯域ｆ１のパスタイミングｔｆ１から第２周波数帯域ｆ２のパスタイミングｔｆ２を引いた値（時間差）がパス更新閾値ｔｈｒｕｄｔよりも大きい場合、且つ、第１周波数帯域ｆ１のパスタイミングと第２周波数帯域ｆ２のパスタイミングとが類似していると通知された場合、第２周波数帯域ｆ２のパスタイミングｔｆ２を、第１周波数帯域ｆ１のパスタイミングに設定する。
【００７４】
一方、ターゲットＵＥ／ＢＳは、第１周波数帯域ｆ１のパスタイミングｔｆ１から第２周波数帯域ｆ２のパスタイミングｔｆ２を引いた値が、パス更新閾値ｔｈｒｕｄｔ以下の場合、第１周波数帯域ｆ１のパスタイミングを更新しない。
【００７５】
また、ターゲットＵＥ／ＢＳは、第１周波数帯域ｆ１のパスタイミングｔｆ１が生成困難な場合、パスタイミングの保護処理を目的とし、第１周波数帯域ｆ１のパスタイミングｔｆ１として第２周波数帯域ｆ２のパスタイミングｔｆ２を設定する。
【００７６】
すなわち、ターゲットＵＥ／ＢＳは、第１周波数帯域ｆ１の相関値ｃｆ１のうち最大振幅値を示す瞬時最大相関値ｃｉｎｓｔ＿ｆ１が所定振幅値以下であるため、第１周波数帯域ｆ１のパスタイミングｔｆ１が生成困難な場合、第２周波数帯域ｆ２のパスタイミングｔｆ２を第１周波数帯域ｆ１のパスタイミングに決定する。
【００７７】
実施の形態に係る無線通信装置の動作を説明する。
以下の説明では、１つのソースＢＳ／ＵＥと１つのターゲットＵＥ／ＢＳが存在する場合を例に挙げ、ターゲットＵＥ／ＢＳの処理を説明する。
【００７８】
図８は、実施の形態に係る無線通信装置の動作を例示するフローチャートである。
【００７９】
図８に示すように、ソースＢＳ／ＵＥは、基準信号を送信する（ステップＳ１０１）。
【００８０】
ターゲットＵＥ／ＢＳは、基準信号を受信する（ステップＳ１０２）。
【００８１】
ターゲットＵＥ／ＢＳの周波数分離部１１１１は、受信した基準信号を第１周波数帯域ｆ１の受信基準信号、及び、第２周波数帯域ｆ２の受信基準信号に分離する（ステップＳ１０３）。
【００８２】
第１周波数帯域Ａ／Ｄ変換部１１１２ａは、第１周波数帯域ｆ１の受信基準信号をＡ／Ｄ変換して、第１周波数帯域ｆ１のデジタル受信基準信号を生成する（ステップＳ１０４）。
【００８３】
第１周波数帯域基準信号生成部１１１４ａは、事前に通知された第１周波数帯域ｆ１の基準信号に関する情報に基づいて、第１周波数帯域ｆ１の基準信号を生成する（ステップＳ１０５）。
【００８４】
第１周波数帯域相関部１１１３ａは、第１周波数帯域ｆ１のデジタル受信基準信号と第１周波数帯域ｆ１の基準信号を用いて、第１周波数帯域ｆ１の相関値ｃｆ１を算出する（ステップＳ１０６）。
【００８５】
第１周波数帯域ピーク検出部１１１５ａは、第１周波数帯域ｆ１の相関値ｃｆ１から、第１周波数帯域ｆ１の瞬時最大相関値ｃｉｎｓｔ＿ｆ１と、対応する瞬時パスタイミングｔｉｎｓｔ＿ｆ１を検出する（ステップＳ１０７）。
【００８６】
第１周波数帯域受信タイミング検出部１１１６ａは、過去と最新の第１周波数帯域ｆ１の瞬時最大相関値ｃｉｎｓｔ＿ｆ１と、対応する瞬時パスタイミングｔｉｎｓｔ＿ｆ１を用いて、第１周波数帯域ｆ１のパスタイミングｔｆ１を算出する（ステップＳ１０８）。
【００８７】
第２周波数帯域Ａ／Ｄ変換部１１１２ｂは、第２周波数帯域ｆ２の受信基準信号をＡ／Ｄ変換して、第２周波数帯域ｆ２のデジタル受信基準信号を生成する（ステップＳ１０９）。
【００８８】
第２周波数帯域基準信号生成部１１１４ｂは、事前に通知された第２周波数帯域ｆ２の基準信号に関する情報に基づいて、第２周波数帯域ｆ２の基準信号を生成する（ステップＳ１１０）。
【００８９】
第２周波数帯域相関部１１１３ｂは、第２周波数帯域ｆ２のデジタル受信基準信号と第２周波数帯域ｆ２の基準信号を用いて、第２周波数帯域ｆ２の相関値ｃｆ２を算出する（ステップＳ１１１）。
【００９０】
第２周波数帯域ピーク検出部１１１５ｂは、第２周波数帯域ｆ２の相関値ｃｆ２から、第２周波数帯域ｆ２の瞬時最大相関値ｃｉｎｓｔ＿ｆ２と、対応する瞬時パスタイミングｔｉｎｓｔ＿ｆ２を検出する（ステップＳ１１２）。
【００９１】
第２周波数帯域受信タイミング検出部１１１６ｂは、過去と最新の第２周波数帯域ｆ２の瞬時最大相関値ｃｉｎｓｔ＿ｆ２と、対応する瞬時パスタイミングｔｉｎｓｔ＿ｆ２を用いて、第２周波数帯域ｆ２のパスタイミングｔｆ２を算出する（ステップＳ１１３）。
【００９２】
相関判定部１１３１と受信タイミング補正部１１２１は、最新の第１周波数帯域ｆ１の受信パスタイミングｔｆ１と第２周波数帯域ｆ２の受信パスタイミングｔｆ２が存在するかを確認する（ステップＳ１１４）。
【００９３】
相関判定閾値部１１３２は、相関判定閾値ｔｈｒｆ１＿ｆ２を設定する（ステップＳ１１５）。
【００９４】
相関判定部１１３１は、相関判定値ｃｆ１＿ｆ２を算出する（ステップＳ１１６）。
【００９５】
相関判定部１１３１は、相関判定閾値ｔｈｒｆ１＿ｆ２と相関判定値ｃｆ１＿ｆ２を比較して、第１周波数帯域ｆ１のパスタイミングと第２周波数帯域ｆ２のパスタイミングの類似性を判定する（ステップＳ１１７）。
【００９６】
相関判定部１１３１は、「ｃｆ１＿ｆ２≦ｔｈｒｆ１＿ｆ２」の場合（ステップＳ１１７：Ｙｅｓ）、第１周波数帯域ｆ１と第２周波数帯域ｆ２間のパスタイミングは類似していると判定し、ステップＳ１１８に進む。
【００９７】
一方、相関判定部１１３１は、「ｃｆ１＿ｆ２＞ｔｈｒｆ１＿ｆ２」の場合（ステップＳ１１７：Ｎо）、第１周波数帯域ｆ１と第２周波数帯域ｆ２間のパスタイミングは類似していないと判定し、「第１周波数帯域ｆ１のパスタイミング＝ｔｆ１」と決定して処理を終了する（ステップＳ１２２）。
【００９８】
受信タイミング補正部１１２１は、第１周波数帯域ｆ１のパスタイミングｔｆ１と第２周波数帯域ｆ２のパスタイミングｔｆ２が等しいか比較する（ステップＳ１１８）。
【００９９】
受信タイミング補正部１１２１は、「ｔｆ１≠ｔｆ２」の場合（ステップＳ１１８：Ｎо）、ステップＳ１１９に進む。
【０１００】
一方、受信タイミング補正部１１２１は、「ｔｆ１＝ｔｆ２」の場合（ステップＳ１１８：Ｙｅｓ）、「第１周波数帯域ｆ１のパスタイミング＝ｔｆ１」と決定して処理を終了する（ステップＳ１２２）。
【０１０１】
パス更新閾値部１１２２は、第１周波数帯域ｆ１のパスタイミングｔｆ１を更新するために用いるパス更新閾値ｔｈｒｕｄｔを設定する（ステップＳ１１９）。
【０１０２】
受信タイミング補正部１１２１は、第１周波数帯域ｆ１のパスタイミングｔｆ１と第２周波数帯域ｆ２のパスタイミングｔｆ２の差分を、パス更新閾値ｔｈｒｕｄｔと比較する（ステップＳ１２０）。
【０１０３】
受信タイミング補正部１１２１は、「ｔｆ１−ｔｆ２＞ｔｈｒｕｄｔ」の場合（ステップＳ１２０：Ｎо）、第１周波数帯域ｆ１のパスタイミングｔｆ１を更新する必要があると判断して、「第１周波数帯域ｆ１のパスタイミング＝ｔｆ２」と決定して処理を終了する（ステップＳ１２１）。
【０１０４】
一方、受信タイミング補正部１１２１は、「ｔｆ１−ｔｆ２≦ｔｈｒｕｄｔ」の場合（ステップＳ１２０：Ｙｅｓ）、第１周波数帯域ｆ１のパスタイミングｔｆ１を更新する必要がないと判断して、「第１周波数帯域ｆ１のパスタイミング＝ｔｆ１」と決定して処理を終了する（ステップＳ１２２）。
【０１０５】
受信タイミング補正部１１２１は、第２周波数帯域ｆ２のパスタイミングｔｆ２のみが存在するかを判別する（ステップＳ１２３）。
【０１０６】
受信タイミング補正部１１２１は、第２周波数帯域ｆ２のパスタイミングｔｆ２のみが存在する場合（ステップＳ１２３：：Ｙｅｓ）、「第１周波数帯域ｆ１のパスタイミング＝ｔｆ２」と決定して処理を終了する（ステップＳ１２６）。
【０１０７】
受信タイミング補正部１１２１は、第１周波数帯域ｆ１のパスタイミングｔｆ１のみが存在する場合（ステップＳ１２３：Ｎо）、「第２周波数帯域ｆ２のパスタイミング＝ｔｆ１」と決定する（ステップＳ１２４）。また、受信タイミング補正部１１２１は、「第１周波数帯域ｆ１のパスタイミング＝ｔｆ１」と決定して処理を終了する（ステップＳ１２５）。
【０１０８】
ターゲットＵＥ／ＢＳの判定部１１３は、第１周波数帯域ｆ１と第２周波数帯域ｆ２のパスタイミングの類似性を判定する。また、ターゲットＵＥ／ＢＳの決定部１１２は、第１周波数帯域ｆ１と第２周波数帯域ｆ２のパスタイミング情報を用いて、第１周波数帯域ｆ１のパスタイミングを補正する。
【０１０９】
ターゲットＵＥ／ＢＳは、第１周波数帯域ｆ１のパスタイミングを適切に補正することで、ＯＦＤＭシンボル間の符号間干渉（ＩＳＩ）を低減することができる。その結果、実施の形態によれば、適切な受信タイミングで信号を復調することが可能な無線通信装置、無線通信システム、無線通信方法、及びプログラムを提供することができる。
【０１１０】
また、ＣＡ（Carrier Aggregation）、ＤＣ（Dual Connectivity）、または、ＢＷＰスイッチングにおいて、無線伝搬路の状態が悪く、もしくは、雑音が強くパス検出（遅延プロファイルの検出）が困難となり、第１周波数帯域ｆ１で受信タイミング検出ができない場合がある。このような場合でも、ターゲットＵＥ／ＢＳは、第１周波数帯域ｆ１に代えて、第２周波数帯域ｆ２の受信タイミングを使用するので、適切なパスタイミングで信号を復調することができる。
【０１１１】
これにより、ターゲットＵＥ／ＢＳは、ＣＡ、ＤＣ、または、ＢＷＰスイッチングにおいて、任意の周波数帯域でパスの検出ができずにパスタイミングが検出できない場合でも、適切な受信タイミングを提供できる。
【０１１２】
また、周波数帯域の高低に依存して、Ｂｌｏｃｋｉｎｇの影響が顕著になることで、パスタイミングの変動が激しくなり、通信品質を一定に保てない場合がある。このような場合でも、ターゲットＵＥ／ＢＳは、パスタイミングの検出が困難な周波数帯域に代えて、別の周波数帯域の受信タイミングを使用するので、適切なパスタイミングで信号を復調することができる。
【０１１３】
［比較例］
図９は、実施の形態の比較例に係る無線通信システムを例示するブロック図である。
【０１１４】
図９に示すように、実施の形態の比較例に係る無線通信システム５０は、実施の形態に係る無線通信システム１０と比べて、測定部１１１の一部（周波数分離部１１１１、第２周波数帯域用のＡ／Ｄ変換部等）、決定部１１２、及び判定部１１３が設けられていない点が異なる。
【０１１５】
ソースＢＳ／ＵＥ（別の無線通信装置５２）は、ターゲットＵＥ／ＢＳ（無線通信装置５１）の受信処理の受信パス検出において必要な基準信号を第１周波数帯域ｆ１で送信する。
【０１１６】
Ａ／Ｄ変換部５１１２には、ソースＢＳ／ＵＥから送信された基準信号が、無線伝搬路や雑音の影響を受けた受信基準信号として入力される。Ａ／Ｄ変換部５１１２は、受信基準信号をＡ／Ｄ変換してデジタル受信基準信号を生成し、相関部５１１３に出力する。
【０１１７】
基準信号生成部５１１４は、事前に通知された基準信号に関する情報に基づいて、基準信号を生成し、相関部５１１３に出力する。
【０１１８】
相関部５１１３は、デジタル受信基準信号と基準信号を用いて相関値を算出し、ピーク検出部５１１５に出力する。
【０１１９】
ピーク検出部５１１５は、相関値から、図３に示すような、最大相関値ｃｍａｘと、対応する瞬時パスタイミングｔｉｎｓｔを検出する。ピーク検出部５１１５は、最大相関値ｃｍａｘと瞬時パスタイミングｔｉｎｓｔを、受信タイミング検出部５１１６に出力する。
【０１２０】
受信タイミング検出部５１１６は、最大相関値ｃｍａｘと瞬時パスタイミングｔｉｎｓｔをメモリ（図示せず）に保存する。受信タイミング検出部５１１６は、メモリに保存された過去と最新の最大相関値ｃｍａｘと瞬時パスタイミングｔｉｎｓｔを重み付けしてパスタイミングを決定する。
【０１２１】
無線通信装置５１は、図５に示すように、無線伝搬路の状態に起因して第１周波数帯域ｆ１のパスタイミングｔｆ１が遅い場合、ОＦＤＭシンボルの切り出し時刻が遅れ、隣接ＯＦＤＭシンボルとの間に符号間干渉を生じる。
【０１２２】
これにより、比較例によっては、適切な受信タイミングで信号を復調することが可能な無線通信装置、無線通信システム、無線通信方法、及びプログラムを提供することは難しい。
【０１２３】
なお、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【０１２４】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記憶媒体(tangible storage medium)を含む。非一時的なコンピュータ可読媒体の例は、磁気記憶媒体（具体的にはフレキシブルディスク、磁気テープ、ハードディスクドライブ）、光磁気記憶媒体（具体的には光磁気ディスク）、ＣＤ−ＲＯＭ（Read Only Memory）、ＣＤ−Ｒ、ＣＤ−Ｒ／Ｗ、半導体メモリ（具体的には、マスクＲＯＭ、ＰＲＯＭ（Programmable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２５】
以上、実施の形態を参照して本願発明を説明したが、本願発明は上記によって限定されるものではない。本願発明の構成や詳細には、発明のスコープ内で当業者が理解し得る様々な変更をすることができる。
【０１２６】
なお、本発明は上記実施の形態に限られたものではなく、趣旨を逸脱しない範囲で適宜変更することが可能である。
【符号の説明】
【０１２７】
１０、５０…無線通信システム
１１…無線通信装置
１１１…測定部
１１１１…周波数分離部
１１１２ａ…第１周波数帯域Ａ／Ｄ変換部
１１１２ｂ…第２周波数帯域Ａ／Ｄ変換部
１１１３ａ…第１周波数帯域相関部
１１１３ｂ…第２周波数帯域相関部
１１１４ａ…第１周波数帯域基準信号生成部
１１１４ｂ…第２周波数帯域基準信号生成部
１１１５ａ…第１周波数帯域ピーク検出部
１１１５ｂ…第２周波数帯域ピーク検出部
１１１６ａ…第１周波数帯域受信タイミング検出部
１１１６ｂ…第２周波数帯域受信タイミング検出部
１１２…決定部
１１２１…受信タイミング補正部
１１２２…パス更新閾値部
１１３…判定部
１１３１…相関判定部
１１３２…相関判定閾値部
１２、５２…別の無線通信装置
１２１…送信部
５１１２…Ａ／Ｄ変換部
５１１３…相関部
５１１４…基準信号生成部
５１１５…ピーク検出部
５１１６…受信タイミング検出部
ｃｆ１、ｃｆ２…相関値
ｃｆ１＿ｆ２…相関判定値
ｃｉｎｓｔ＿ｆ１、ｃｉｎｓｔ＿ｆ２…瞬時最大相関値
ｃｍａｘ…最大相関値
ｆ１…第１周波数帯域
ｆ２…第２周波数帯域
ｔｍ１…第１時刻
ｔｍ２…第２時刻
ｔ０、ｔ１、ｔ２、ｔ３…受信タイミング
ｔｆ１、ｔｆ２…パスタイミング
ｔｉｎｓｔ＿ｆ１、ｔｉｎｓｔ＿ｆ２…瞬時パスタイミング
ｔｉｎｓｔ…瞬時パスタイミング
ｔｈｒｆ１＿ｆ２…相関判定閾値
ｔｈｒｕｄｔ…パス更新閾値
Ｎｃｏｒｒ…サンプル数
【図１】
2020202515.tif 000006
【図２】
2020202515.tif 000007
【図３】
2020202515.tif 000008
【図４】
2020202515.tif 000009
【図５】
2020202515.tif 000010
【図６】
2020202515.tif 000011
【図７】
2020202515.tif 000012
【図８】
2020202515.tif 000013
【図９】
2020202515.tif 000014